【事件の表示】
　平成　９年特許願第　９０６１０号「ＬＣＤ表示装置」拒絶査定不服審判事件〔平成１０年　９月１１日出願公開、特開平１０−２４０２０２〕について、次のとおり審決する。
【結　論】
　本件審判の請求は、成り立たない。
【理　由】
１．手続きの経緯
　本願は、平成９年４月９日（優先権主張；平成８年１２月２４日）の出願であって、平成１６年３月２２日付け（発送日；同月３０日）で拒絶査定がなされ、これに対して、同年４月２３日に拒絶査定に対する審判請求がなされるとともに、同日付けで手続補正がなされたものである。
　
２．平成１６年４月２３日付けの手続補正についての補正却下の決定
［補正却下の決定の結論］
　平成１６年４月２３日付けの手続補正を却下する。
［理由］
（１）補正の内容
　本件補正は、補正前の特許請求の範囲、
「【請求項１】ＬＣＤモジュールの表示モードを入力画像信号に基づいて自動的に切り換えることができるＬＣＤ表示装置であって、前記表示モードが切り換わった時、前記ＬＣＤモジュールの表示をＯＦＦ状態にしたままで、前記表示モードに合致するようにパラメータを設定するＬＣＤ表示装置において、
　複数の階調ごとのディザパターンを１画面ごとに変化させて発生するパターン発生回路と、入力画像データの階調を検出する検出回路と、前記検出回路の出力に基づいて前記パターン発生回路からのディザパターンを選択する選択回路とを備え、前記パラメータの設定の終了後に、前記ＬＣＤモジュールをＯＮ状態にしたままで、前記選択回路で選択されたパターンにより、前記ＬＣＤモジュールに画像表示させるようになっているとともに、
　前記１画面は入力画像信号の垂直周波数をｆとしたとき１／２ｆ秒間だけ表示されることを特徴とするＬＣＤ表示装置。
【請求項２】前記ディザパターンの１画面ごとの変化はデータが画面ごとに１ビットずつ縦方向へシフトすることによって成されることを特徴とする請求項１に記載のＬＣＤ表示装置。
【請求項３】前記ディザパターンは前記階調が異なっていても基本パターンのサイズは同一であり、前記階調に応じて点灯するドット数が異なることを特徴とする請求項１に記載のＬＣＤ表示装置。」
　を、
「【請求項１】ＬＣＤモジュールの表示モードを入力画像信号に基づいて自動的に切り換えることができるＬＣＤ表示装置であって、前記表示モードが切り換わった時、前記ＬＣＤモジュールの表示をＯＦＦ状態にしたままで、前記表示モードに合致するようにパラメータを設定するＬＣＤ表示装置において、
　複数の階調ごとのディザパターンを１画面ごとに変化させて発生するパターン発生回路と、入力画像データの階調を検出する検出回路と、前記検出回路の出力に基づいて前記パターン発生回路からのディザパターンを選択する選択回路とを備え、前記パラメータの設定の終了後に、前記ＬＣＤモジュールをＯＮ状態にしたままで、前記選択回路で選択されたパターンにより、前記ＬＣＤモジュールに画像表示させるようになっているとともに、
　前記１画面は入力画像信号の垂直周波数をｆとしたとき１／２ｆ秒間だけ表示され
、　前記ディザパターンは前記階調が異なっていても基本パターンのサイズは同一であり、前記階調に応じて点灯するドット数が異なる
　【請求項２】前記ディザパターンの１画面ごとの変化はデータが画面ごとに１ビットずつ縦方向へシフトすることによって成されることを特徴とする請求項１に記載のＬＣＤ表示装置。」
　と補正する内容を含むものである。
　なお、アンダーラインは、補正個所を示すために請求人が付したものである。
　
（２）補正の目的の適合性
　上記手続補正は、補正前の請求項１を削除するとともに、補正前の請求項３を独立請求項として補正後の請求項１とし、また、補正後の請求項２は、補正後の請求項１を引用することにより、補正前の請求項２に記載した発明を特定するために必要な事項である「ディザパターン」について、「ディザパターンは階調が異なっていても基本パターンのサイズは同一であり、階調に応じて点灯するドット数が異なる」との限定が付加されたものと認められる。
　したがって、上記手続補正は、請求項の削除及び特許請求の範囲の減縮を目的とするものと認められ、平成１８年改正前特許法第１７条の２第４項第１号及び第２号の規定に該当するものである。
　そうすると、「特許請求の範囲」全体についての減縮があったことになるから、「特許請求の範囲に記載されている事項により特定される発明」について独立特許要件の判断が必要となるものである（＊注）。
　そこで、補正後の特許請求の範囲の請求項１に記載された事項により特定される発明について、それが、特許出願の際独立して特許を受けることができるものであるか否かについて検討する。 
　
（＊注）知財高裁判決（平成１８年２月１６日言渡：平成１７年（行ケ）第１０２６６号）は、以下のように判示している。 
 　＜＜改正前（当審注：「平成６年改正前」）特許法１７条の２第３項は，「前項において準用する前条第２項に規定するもののほか，第１項第４号及び第５号に掲げる場合において特許請求の範囲についてする補正は，次に掲げる事項を目的とするものに限る。」と規定した上，その２号において，「特許請求の範囲の減縮（前号に規定する一の請求項に記載された発明（‥‥‥以下この号において「補正前発明」という。）と産業上の利用分野及び解決しようとする課題が同一である発明の構成に欠くことができない事項の範囲内において，その補正前発明の構成に欠くことができない事項の全部又は一部を限定するものに限る。）」と規定している。そして，同条４項は，「第１２６条第３項の規定は，前項の場合に準用する。この場合において，同条３項中『第１項ただし書第１号』とあるのは，『第１７条の２第３項第２号』と読み替えるものとする。」と規定し，改正前（当審注：「平成６年改正前」）特許法１２６条３項は，「第１項ただし書第１号の場合は，訂正後における特許請求の範囲に記載されている事項により構成される発明が特許出願の際独立して特許を受けることができるものでなければならない。」 
 と規定している。  
 　上記によれば，改正前（当審注：「平成６年改正前」）特許法１７条の２第３項２号において問題とされているのは，「特許請求の範囲」全体について減縮があったか否かであって，「特許請求の範囲」全体に減縮があれば，同条４項により，「特許請求の範囲に記載されている事項により構成される発明」について独立特許要件の判断が必要となるものと解するのが相当である。独立特許要件の判断の要否を「特許請求の範囲」に含まれる個々の請求項ごとに考えるべきである旨の原告の主張は，採用できない（原告の指摘する同条３項２号括弧書きの規定は，補正が許される場合を，「特許請求の範囲の減縮」のうち一定の場合に限定することを規定したにすぎず，原告の上記主張を裏付けるものではない。）。＞＞   
　
（３）独立特許要件
　本件補正後の請求項１に記載された発明（以下、「本願補正発明」という。）が、特許出願の際独立して特許を受けることができるものであるか（平成１８年改正前特許法第１７条の２第５項において準用する同法第１２６条第５項の規定に適合するか）について、以下検討する。
　
（３−１）引用刊行物 
　原査定の拒絶の理由に引用された本願の優先権主張の日前に頒布された刊行物である特開平６−１３０９０６号公報（以下、「刊行物１」という。）には、図面とともに、次の事項が記載されている。
１ａ．「【請求項１】  演算処理情報を表示する表示部と、
前記表示装置を使用した所定の表示モードから、この表示モードと異なる別の表示モードに切り換えられる際のモード切り換え処理の開始を検出するモード切り換え検出部と、
このモード切り換え検出部がモード切り換え処理の開始を検出したときから、前記モード切り換え処理中における前記表示装置の表示画像の乱れが発生する時間を越える所定の表示抑制時間を経過するまでの間、表示抑制信号を出力する計時部と、
前記表示抑制信号の出力されている間、前記表示部への演算処理情報の表示を強制的に停止する表示抑制処理部とを備えたことを特徴とする表示制御装置。
【請求項２】  表示抑制処理部は、表示制御信号の出力されている間、表示部のバックライトをオフすることを特徴とする請求項１記載の表示制御装置。」（【特許請求の範囲】）
　
１ｂ．「【０００６】図４に、そのようなパーソナルコンピュータにおける従来の表示装置切り換え例タイムチャート（その２）を示す。この例では（ａ）に示すように、時刻ｔ１、ｔ２、ｔ３にそれぞれその表示画面モードを画面モードＡ、Ｂ、Ｃというように順に切り換えた場合、やはりその切り換え時ｔ１、ｔ２、ｔ３の前後で、水平、垂直同期信号の同期合わせ処理を実行することになる。この場合にも、図３で示したと同程度の時間、表示画像に乱れが発生する。この場合にも、特に演算処理操作自体には支障がなく、従来特別な処理は施されていなかった。
【０００７】
【発明が解決しようとする課題】しかしながら、上記のような表示モードの切り換え操作を行なった場合、ごく短時間でも表示画像に乱れが発生すると、瞬時に正常な画面に切り換わる場合に比べれば、その表示品位は劣るものとなる。また、ユーザーはこのような画像の乱れが発生した場合、表示装置の故障ではないかと考えて修理依頼が多発するといった問題も生じる。本発明は以上の点に着目してなされたもので、より高い品質の表示画像を維持し、同期合わせ処理中の画像の乱れを故障と誤解されないような対策を施した表示制御装置を提供することを目的とするものである。」
　
１ｃ．「【００１１】また、パーソナルコンピュータ１の出力する同期信号２２は、モード切り換え検出部１３に入力し、モード切り換え検出部１３の出力は計時部１４に入力して、更に計時部１４の出力は表示抑制処理部１５に入力するよう構成されている。表示部１２は、液晶ディスプレイ１２−１及びバックライト制御部１２−２から構成されており、表示制御部１１の出力は、液晶ディスプレイ１２−１に入力するよう構成されている。また、バックライト制御部１２−２には、表示抑制処理部１５から制御信号が入力するよう構成されている。上記表示制御部１１は、画像信号２１と同期信号２２を受け入れて、液晶ディスプレイ１２−１に対し画像信号を所定のタイミングで出力し、演算処理情報の表示を制御するよく知られた回路である。
【００１２】モード切り換え検出部１３は、同期信号２２を受け入れて、その同期信号の乱れを検出する回路である。同期信号２２には、例えば水平、垂直同期信号が含まれており、これらは先に説明したように、表示モード切り換えの際に一定時間乱れを生じる。この場合、モード切り換え検出部１３に入力する同期信号の周波数成分が正常な画像を表示する場合と比べて異なったものになる。モード切り換え検出部１３は、例えば周波数フィルタ等を用いて異常な周波数成分を抽出し、モード切り換え処理の開始を検出する回路である。なお、このモード切り換え検出部１３は、このような周波数の乱れを検出し、計時部１４に対しトリガを出力するためのフィルタやゲート回路から構成してもよいし、またワンチップマイクロコンピュータ等から構成することもできる。」
　
１ｄ．「【００２３】本発明は以上の実施例に限定されない。上記モード切り換え検出部１３は、実質的に表示部の表示モードの切り換え処理開始を検出できるものであればよく、例えば水平同期信号のみあるいは垂直同期信号のみを監視するようなものであってもよいし、また同期信号以外の、モード切り換えのための指示信号を監視するような構成のものであってもよい。また、モード切り換え検出部１３や計時部１４等は必ずしも別々に構成せず、一体に構成されてもよい。更に表示抑制処理部１６は、例えばバックライト制御部１２−２や表示制御部１１の中に一体に組み込まれてもよく、その制御信号の内容や構成も自由に設定して差し支えない。」　
　
（３−２）対比・判断
　刊行物１には、（３−１）の「１ａ．」乃至「１ｄ．」の記載から次の発明（以下、「刊行物１記載の発明」という。）が記載されているものと認められる。
「同期信号２２を受けて、表示画面モード切換の際の前記同期信号２２の乱れを検出し、その乱れを検出したときから、表示画面モード切り換え処理中における表示画像の乱れが発生する時間を越える所定時間を経過するまでの間、液晶ディスプレイ１２−１の表示を、バックライトをオフすることにより強制的に停止することを特徴とする表示制御装置。」
　
　そこで、本願補正発明（前者）と上記刊行物１記載の発明（後者）とを対比する。
・前者の「入力画像信号」は、本願明細書の段落【００９６】の「ＣＰＵ１はパーソナルコンピュータ等から送られてきた入力画像信号中のＶSYNC、ＨSYNCの周波数及び極性から、その入力画像信号がどの表示モード（ＸＧＡ、ＳＶＧＡ、ＶＧＡ）のものであるかを判定する。」との記載からみて、垂直同期信号や水平同期信号を含むものであり、これらの同期信号に基づいて表示モードの判定がなされるのであるから、後者の「同期信号２２」は、前者の「入力画像信号」に相当する。
・後者の「表示制御装置」は、同期信号２２を受けて、表示画面モード切り換え処理を行うとともに、液晶ディスプレイ１２−１の表示を制御するものであり、また、液晶ディスプレイや駆動回路を一体化してＬＣＤモジュールとして構成することも普通に行われていることを勘案すれば、後者の「表示制御装置」は、前者の「ＬＣＤモジュールの表示モードを入力画像信号に基づいて自動的に切り換えることができるＬＣＤ表示装置」に相当する。
・前者の「ＬＣＤモジュールの表示をＯＦＦ」は、「液晶ディスプレイの表示を視認できない状態とすること」を包含するものと解されるから、後者の「液晶ディスプレイ１２−１の表示を、バックライトをオフすることにより強制的に停止すること」を包含するものであること、また、後者の「表示画面モード切り換え処理」には、表示モードに応じたパラメータの設定も含まれるものと解されることから、後者の「同期信号２２を受けて、表示画面モード切換の際の前記同期信号２２の乱れを検出し、その乱れを検出したときから、表示画面モード切り換え処理中における表示画像の乱れが発生する時間を越える所定時間を経過するまでの間、液晶ディスプレイ１２−１の表示を、バックライトをオフすることにより強制的に停止する」点は、前者の「表示モードが切り換わった時、前記ＬＣＤモジュールの表示をＯＦＦ状態にしたままで、前記表示モードに合致するようにパラメータを設定する」点に相当する。
　したがって、両者は、
「ＬＣＤモジュールの表示モードを入力画像信号に基づいて自動的に切り換えることができるＬＣＤ表示装置であって、前記表示モードが切り換わった時、前記ＬＣＤモジュールの表示をＯＦＦ状態にしたままで、前記表示モードに合致するようにパラメータを設定するＬＣＤ表示装置。」
　の点の構成で一致し、以下の点で相違する。
［相違点］
　前者が、「複数の階調ごとのディザパターンを１画面ごとに変化させて発生するパターン発生回路と、入力画像データの階調を検出する検出回路と、前記検出回路の出力に基づいて前記パターン発生回路からのディザパターンを選択する選択回路とを備え、前記パラメータの設定の終了後に、前記ＬＣＤモジュールをＯＮ状態にしたままで、前記選択回路で選択されたパターンにより、前記ＬＣＤモジュールに画像表示させるようになっているとともに、前記１画面は入力画像信号の垂直周波数をｆとしたとき１／２ｆ秒間だけ表示され、前記ディザパターンは前記階調が異なっていても基本パターンのサイズは同一であり、前記階調に応じて点灯するドット数が異なる」ものであるのに対し、後者には、この点の記載がない点。
　
　そこで、上記相違点について検討する。
　以下の検討に当たり参照される周知例１及び２、並びにその記載事項は、次のとおりである。
＜周知例１（特開平５−１１３７６７号公報）＞
２ａ．「【０００８】
【課題を解決するための手段】上記目的達成のため、本発明では、表示すべきビデオ信号に関し、フレーム（又はフィールド）毎に各画素の表示階調を周期的に変えることにより（その中間調を視覚的に実現して）多階調表示を行う場合のフリッカを抑制するために、フレームメモリにより、表示すべき入力ビデオ信号を一旦記憶し、より高いフレーム周波数で読み出すことにより、各画素の輝度変化の周期を短くするようにした。
【０００９】また、前記フレームメモリによりビデオ信号のフレーム周波数を高くし、フレーム毎に各画素の表示階調を周期的に変えるようにすることに加えて、より多階調な表示を行うために、複数の画素を組合せて新たな画像表示の１単位とし、該１単位中の各画素の表示階調を変えることによって視覚的に中間調を表現し、且つ１単位を構成する画素の取り方を空間的、又は時間的、あるいは空間的、且つ時間的に共にずらすようにした。
【００１０】
【作用】フレームメモリにより表示すべきビデオ信号のフレーム周波数を高くし、フレーム毎に、各画素の表示階調を周期的に変えることによって視覚的に多階調表示を行うようにしたため、前記各画素の輝度変化の周期が短くなり、画面におけるフリッカを抑制できる。
【００１１】前記フレームメモリにより、表示すべきビデオ信号のフレーム周波数を高くし、フレーム毎に各画素の表示階調を周期的に変え、さらに複数の画素を組合せて新たな画像表示の１単位とし、該１単位中の各画素の表示階調を変えることによって中間調を視覚的に表現し、且つ１単位を構成する画素の取り方を空間的、又は時間的、あるいは空間的、且つ時間的に共にずらして組合せるようにしたため、解像度劣化及びフリッカを抑制しつつ、多階調な表示を得ることができる。」
２ｂ．「【００２７】例えば、入力ビデオ信号のフレーム周波数が６０Ｈｚで、フレームメモリにより倍の１２０Ｈｚに変換（例えば９０Ｈｚでも効果有りであるが）したとする。そのようなビデオ信号によりＦＲＣを行うと、図５の（ｂ）の中段に示したようになり、輝度変化の周期は、６０Ｈｚと十分早くなり、フリッカが目立たなくなる。また、更にフレーム周波数を高く変換すれば、数フレーム毎のＦＲＣを行ってもフリッカは抑制できる。」
２ｃ．「【００３９】図９は、本発明の第３の実施例を示すブロック図である。同図において、４３は画素ずらしディザ回路である。図１０は、図９において多階調化回路を構成している画素ずらしディザ回路４３とアドレス発生回路５１の詳細を示したブロック図である。
【００４０】図１０において、４０は画素ずらしディザ回路４３を構成するＲＯＭ、５２は水平同期信号ＨＤをカウントし走査位置を判別するＨＤカウンタ、５３，５４は後述する多階調化方式を実現するためにＲＯＭ４０にアドレス信号を与えるための２分周回路、５０はＶＤカウンタ（表示すべきビデオ信号の奇数フィールドと偶数フィールドを判別するために、垂直同期信号ＶＤの２倍の周期の２ＶＤ信号をカウントしているＶＤカウンタ）、である。
・・・
【００４４】図１１は、図９、図１０に示す本発明の第３の実施例の多階調化方式の動作原理説明図、図１２は同じく第３の実施例の多階調化方式の表示例を示す説明図である。本実施例の多階調化方式では、表示画像の解像度劣化を抑制するために、画素ずらしディザ回路４３及びアドレス発生回路５１により、表示すべき入力ビデオ信号を操作し、図１１に見られるように、１単位を構成する画素の組合せを、走査ラインの２行おきに水平方向に１画素分ずらし、さらにフィールド毎に、垂直方向に１画素分ずらすようにした。
【００４５】例えば、図１２の左上の（ａ）に示すような濃度階調分布の原画像を表示する場合、予め（ｂ）に示すような第１３階調のデイザパターンと、（ｃ）示すような第７階調のデイザパターンと、を決めてＲＯＭ４０に書込んでおく。そして、奇数フィールドでは、左側の図（ｄ）に示した破線の組合せとし、ＲＯＭ４０に入力される原画像の階調と、１単位を構成する４画素の位置情報（左上、左下、右上、右下のいづれか）とにより、１単位を構成する各画素の表示階調を決定し出力する。
【００４６】次に、偶数フィールドでは、右側の図（ｅ）に破線で示したように、１単位の取り方をずらして同様の操作を行う。例えば今、（ａ）の原画像で左上（１行，１列）の１画素は第１３階調であり、奇数フィールドの組合せ（ｄ）では、１単位中で左上の位置になるため、ＲＯＭ４０は、（ｂ）に示す第１３階調のディザパターンの左上の階調を選択し出力する。従って、奇数フィールドの表示階調は第１６階調になる。
【００４７】同様に偶数フィールド（ｅ）では、（ａ）の原画像で左上（１行，１列）の１画素は１単位中で右下になるため、ＲＯＭ４０は（ｂ）に示す第１３階調のディザパターンの右下の階調を選択し出力する。従って、偶数フィールドの表示階調は第１２階調になる。これにより空間的にはディザ法になっており、さらに１単位中の画素の取り方をずらすことにより、各画素を時間的にみるとＦＲＣになっている。
【００４８】従って最終的に人間の目に見える表示は、（ｄ）と（ｅ）の各対応画素の平均階調として、下段の（ｆ）に示す様になり、原画像（ａ）に近い階調表示ができる。このとき予め図９のフレームメモリ２により、表示すべき入力ビデオ信号のフレーム周波数を高くしてあるためフリッカは発生しない。
【００４９】尚、図12の、例えば（ｂ）に示す如き、第１３階調目を視覚的に表すための１単位を構成する４画素の組合せにおいて、第１６階調目の画素位置を、左上に固定すること無く、例えばフィールド、又はフレーム周期毎に左上、右上、右下、左下のように、その位置を変更することにより、視覚的に更に滑らかな画像表示をさせることもできる。
【００５０】以上、本実施例によれば、フィールド毎に１単位を構成する画素の組合せ方を変えることで、解像度劣化の少ない多階調表示ができ、さらにフレームメモリにより入力ビデオ信号のフレーム周波数を高くしているため、フリッカが抑制できる。」
　　
＜周知例２（特開平７−２７３９９３号公報）＞
３ａ．「【００７９】以上の内容から、第１フィールドに対応する本実施例の擬似中間調処理装置の出力画像に関しては、図４のＲＯＭ出力４５に示すように、Ｂａｙｅｒ型の基本パターンそのもの（図５（ａ１）参照）を用いて、上述したディザ変換を施したところの結果と同じになる（図５（ｂ１）参照）。
【００８０】次に、第２フィールドに対応する出力画像に関しては、図４のＲＯＭ出力４５に示すように、Ｂａｙｅｒ型の基本パターンをＸ方向（行方向）へ一画素分シフトして形成された変形パターン（図５（ａ２）参照）を用い、その変換結果は、図５（ｂ２）に示す出力パターンとなる。
【００８１】更に、第３フィールドに対応する出力画像に関しては、図５（ａ２）に示す変形パターンを更にＸ方向（行方向）へ一画素分シフトして形成された変形パターン（図５（ａ３）参照）を用い、その変換結果は、図５（ｂ３）に示す出力パターンとなる。
【００８２】更に又、第４フィールドに対応する出力画像に関しては、図５（ａ３）に示す変形パターンを更にＸ方向（行方向）へ一画素分シフトして形成された変形パターン（図５（ａ４）参照）を用い、その変換結果は、図５（ｂ４）に示す出力パターンとなる。」
　
　以下、（Ａ）ディザパターン及び表示周期について、（Ｂ）画像表示のための回路構成について、（Ｃ）刊行物１記載の発明との組み合わせの容易性について、の３つの観点から相違点を検討する。
（Ａ）ディザパターン及び表示周期について；
　階調が異なっていても基本パターンのサイズは同一であり、前記階調に応じて異なるディザパターンを、所定の表示周期で切り換えて用いることは、周知のことであり（例えば、周知例２参照。また、周知例１の段落【００４９】に「第１３階調目を視覚的に表すための１単位を構成する４画素の組合せにおいて、第１６階調目の画素位置を、左上に固定すること無く、例えばフィールド、又はフレーム周期毎に左上、右上、右下、左下のように、その位置を変更することにより、視覚的に更に滑らかな画像表示をさせることもできる。」との記載（「２ｃ．」の記載参照。）があり、所定表示周期毎にディザパターンの切り換えを行うことが示唆されている。）、また、表示周期を入力画像の更新周期の１／２とすることも、所謂倍速駆動として周知の液晶駆動手法（例えば、周知例１の段落【００２７】に、「例えば、入力ビデオ信号のフレーム周波数が６０Ｈｚで、フレームメモリにより倍の１２０Ｈｚに変換（例えば９０Ｈｚでも効果有りであるが）したとする。そのようなビデオ信号によりＦＲＣを行うと、図５の（ｂ）の中段に示したようになり、輝度変化の周期は、６０Ｈｚと十分早くなり、フリッカが目立たなくなる。また、更にフレーム周波数を高く変換すれば、数フレーム毎のＦＲＣを行ってもフリッカは抑制できる。」との記載（「２ｂ．」の記載参照。）がある。）にすぎないから、本願補正発明のディザパターン及び表示周期について、格別の特徴は認められない。
　
（Ｂ）画像表示のための回路構成について；
　ディザパターン発生回路、入力階調の検出回路、ディザパターンの選択回路等を設ける点は、ディザ制御に必要な回路構成を記載したものであって、その構成に格別の特徴は認められない。また、「（表示モードに合致する）パラメータの設定の終了後に、ＬＣＤモジュールをＯＮ状態にしたままで、選択回路で選択されたパターンにより、前記ＬＣＤモジュールに画像表示させる」点についても、パラメータの設定が完了し、表示の乱れが収まれば、ディザ制御を用いた画像表示を行うことが可能なことは明らかであり、「ＬＣＤモジュールをＯＮ状態にしたままで」の点は、表示を行うために当然必要となる事項を記載したものにすぎないから、この点にも格別の特徴は認められない。
　
（Ｃ）刊行物１記載の発明との組み合わせの容易性について；
　液晶の表示制御において、ディザ制御や倍速駆動制御を行うことは上記のように従来周知のことであり、刊行物１記載の発明に、これらの周知の表示制御手法を適用することも、当業者であれば、適宜なし得るところと認められる。
　
　そして、本願補正発明による効果も、刊行物１の記載及び上記周知事項から当業者が予測しうる範囲内のものにすぎない。
　したがって、本願補正発明は、刊行物１記載の発明及び周知事項に基づいて当業者が容易に発明をすることができたものであり、特許法第２９条第２項の規定により特許出願の際独立して特許を受けることができないものである。
　
（４）むすび
　以上のとおり、本件手続補正は、平成１８年改正前特許法第１７条の２第５項において準用する同法第１２６条第５項の規定に違反するものであるから、特許法第１５９条第１項において読み替えて準用する同法第５３条第１項の規定により却下すべきものである。
　
３．本願発明について
　平成１６年４月２３日付けの手続補正は、上記のとおり却下されたので、本願の請求項１乃至３に係る発明は、平成９年１２月９日付け、平成１５年７月１８日付け、及び平成１５年１２月１６日付け手続補正書により補正された明細書及び図面の記載からみて、その特許請求の範囲の請求項１乃至３に記載された事項により特定されるとおりのものと認められるところ、その請求項１及び３に係る発明は、「２．（１）」の補正前の特許請求の範囲の請求項１及び３に記載されたとおりのものである。
　
４．引用刊行物
　原査定の拒絶の理由に引用された引用刊行物及びその記載事項は、前記「２．（３−１）」に記載したとおりのものである。
　
５．対比・判断
　本願の請求項３に係る発明は、前記「２．」で検討した本願補正発明と同一の発明である。
　そうすると、本願の請求項３に係る発明と同一の発明である本願補正発明が、前記「２．（３−２）」に記載したとおり、刊行物１記載の発明及び周知事項に基づいて当業者が容易に発明をすることができたものであるから、請求項３に係る発明も、同様の理由により、当業者が容易に発明をすることができたものである。
　また、本願の請求項１に係る発明は、本願の請求項３に係る発明と同一の発明である本願補正発明から、請求項３に記載された特徴点の構成の限定を省いたものであり、本願補正発明が、上記のように、刊行物１記載の発明及び周知事項に基づいて当業者が容易に発明をすることができたものであるから、請求項１に係る発明も、同様の理由により、当業者が容易に発明をすることができたものである。
　
６．むすび
　以上のとおりであるから、本願の請求項１及び３に係る発明は、特許法第２９条第２項の規定により特許を受けることができない。
　そして、本願の請求項１及び３に係る発明が特許を受けることができないものであるから、請求項２に係る発明について検討するまでもなく、本願は拒絶すべきものである。
　よって、結論のとおり審決する。